(57)【要約】【課題】  太陽電池モジュールの下地の形状に沿って敷設することが可能であり、優れた美観をもって設置ができ、全体としての軽量化、製作コストの低減も図ることができるようにした太陽電池モジュール及び太陽電池モジュールの設置構造を提供する。【解決手段】  複数の太陽電池セルを、直列及び／又は並列接続して構成する太陽電池サブモジュール群を、裏面保護材１２２と絶縁性封止材１２３、１２４と表面保護材１２１とで封止してなる太陽電池モジュールにおいて、上記裏面保護材１２２に金属又はプラスチック製の薄肉板を用い、周囲に折り曲げ加工を施さず、平板形状を成し、フレキシブル性を有することとした。【選択図】        図３
2006140420.tif 000002
【特許請求の範囲】
【請求項１】
複数の太陽電池セルを、直列及び／又は並列接続して構成する太陽電池サブモジュール群を封止してなる太陽電池モジュールにおいて、裏面保護材に薄肉板を用い、周囲に折り曲げ加工を施さず、平板形状を成し、フレキシブル性を有していること特徴とする太陽電池モジュール。
【請求項２】
上記裏面保護材に取付穴を設けたことを特徴とする請求項１記載の太陽電池モジュール。
【請求項３】
上記裏面保護材側に、太陽電池サブモジュール群の出力を接続する端子ボックス、隣接する太陽電池モジュールを接続するケーブル、防水コネクタを具備したことを特徴とする請求項１記載の太陽電池モジュール。
【請求項４】
山部と谷部を交互に連続して形成した長尺の台形波形折板を屋根勾配に平行になるように設置し、請求項１〜３のいずれかに記載の太陽電池モジュールを、該太陽電池モジュールの裏面保護材と上記台形波形折板の山部とが密着するように配置し、上記台形波形折板の山部に上記太陽電池モジュールを取り付けることを特徴とする太陽電池モジュールの設置構造。
【請求項５】
上記太陽電池モジュールの裏面保護材側かつ上記台形波形折板の谷部のスペースに、上記端子ボックス、隣接する太陽電池モジュールを接続するケーブル、及び防水コネクタを収納することを特徴とする請求項４記載の太陽電池モジュールの設置構造。
【請求項６】
上記の台形波形折板が、山部と谷部を交互に連続する方向に上に凸、下に凸となるように交互に湾曲形成して取り付けられ、湾曲した台形波形折板の山部に、上記太陽電池モジュールを上記裏面保護材と上記台形波形折板の山部とが密着するように敷設することを特徴とする請求項４記載の太陽電池モジュールの設置構造。
【発明の詳細な説明】
【技術分野】
【０００１】
本発明は、長尺の太陽電池モジュール及び太陽電池モジュールの設置構造に関する。
【背景技術】
【０００２】
太陽電池は、太陽の光エネルギーから直接電気エネルギーを得る発電装置である。地球環境問題がクローズアップされるなか、太陽電池はクリーンなエネルギー源として脚光を浴び、徐々に導入が進んでいる。
【０００３】
ここで、従来の太陽電池モジュールの構造としては、例えば図９〜図１１に示すように、周囲にフレームを取り付けた構造（特開２００２−１１５３７５、特許文献１）が一般的に採用されている。
太陽電池パネル２０は、図９（ａ）〜（ｄ）に示すように、複数の太陽電池セル２３をパネル状に配置してなる太陽電池パネル本体２４を、図１０に示すような枠体２５に収納した構成を備えており、太陽電池パネル本体２４の裏面には図９（ｄ）に示すような端子保護カバー２６及び出力リード線２７，２８が設けられている。
また、太陽電池パネル２０は、図１１に示されるようにユニット建物の折板屋根３１などのフラット屋根に取り付けられる。
上記折板屋根３１は、ほぼ山型の突条３３を一定の間隔３４で複数本平行に形成して構成されている。
【０００４】
そして、ほぼ矩形状をした太陽電池パネル２０は、図９（ａ）に示すように、突条３３の延設方向１５と交差（通常は直交されているが直交でなくとも良い）する方向（交差方向１６）へ、その一辺１７及び対向辺１８を向けた状態で、固定具２１を介して折板屋根３１に取付けられている。太陽電池パネル２０は、一辺１７側がほぼ接地状態で固定され、対向辺１８側が浮上状態で固定されることにより、全体として傾斜配置とされる。
なお、太陽電池パネル本体は、一般的に受光面側の保護材にガラスを用いている。
【０００５】
また、図１２に示すように太陽電池モジュール２００の受光面側の保護材に透光性フィルム、裏面保護材２０１に折り曲げ加工を施した鋼板材を使用した構造を持ち、軽量・大型化が可能な太陽電池モジュールも開発されている。なお、図１２は、折板屋根２０２に太陽電池モジュール２００を装着した状態を示している。
【０００６】
このような従来の太陽電池モジュールは、いずれにおいても、屋根材分離型の場合は瓦屋根や折板屋根に取り付けられた金具にフレームを固定し、そのフレームに前記太陽電池モジュールをネジ固定する構造である。また、屋根構造と関係のない屋外設置型の太陽電池発電設備においても、前記と同構造の太陽電池モジュールを架台上に設置している。
【０００７】
一方、屋根構造と関係のない屋外設置型の太陽電池発電設備において、美観を重視し、曲面上に太陽電池モジュールを設置する場合がある。
ここで、図９〜図１１のような、従来の受光面側の保護材にガラスを用いて周囲にフレームを取り付けた構造であって、一般的なサイズ（１ｍ角程度）の太陽電池パネルを曲面上に並べて取り付けることを仮定する。そうすると、太陽電池モジュールは平面形状であるため、多角形状となり曲面とは言い難く美観を損ねる。太陽電池パネルのサイズを小さくして多数並べれば曲面形状に近づけることは可能である。しかし、設置枚数が増大するため設置コストも増大してしまう。また、図９〜図１１の構成の太陽電池パネルは、構成部材としてガラスを使用しているため質量が重く架台の強度が必要で、架台製作コストが増大するという問題もある。
このような事情は、図１２のような太陽電池モジュールでも解決されていない。
【特許文献１】特開２００２−１１５３７５号公報
【発明の開示】
【発明が解決しようとする課題】
【０００８】
本発明は上記事情に対して、太陽電池モジュールの下地の形状に沿って敷設することが可能であり、優れた美観をもって設置ができ、全体としての軽量化、製作コストの低減も図ることができるようにした太陽電池モジュール及び太陽電池モジュールの設置構造を提供することを目的とする。
【課題を解決するための手段】
【０００９】
上記課題を解決するために、本発明に係る太陽電池モジュールは、複数の太陽電池セルを、直列及び／又は並列接続して構成する太陽電池サブモジュール群を封止してなる太陽電池モジュールにおいて、裏面保護材に薄肉板を用い、周囲に折り曲げ加工を施さず、平板形状を成し、フレキシブル性を有していること特徴とする。ここで、周囲とは、長方形状の太陽電池モジュールでは四辺のことである。また、太陽電池モジュールは、一般的構成として太陽電池サブモジュール群を、裏面保護材と絶縁性封止材と表面保護材とで封止してなるものであるが、本発明の目的に適う限りこのようなものに限定されるものではない。上記裏面保護材に金属又はプラスチック製の薄肉板を用いることが好適であるが、要するに太陽電池モジュールのフレキシブル性を付与する素材であれば、本発明の目的に反しない限り用いることができる。
【００１０】
この構成の太陽電池モジュールでは、太陽電池モジュールを設置する下地の形状に沿って敷設することが可能となり、下地形状が上に凸、下に凸のＲ形状でも下地と一体感を持たせ美観に優れた設置ができる。さらに、周囲に折り曲げ加工を施さないことにより、太陽電池モジュールの軽量化や製作コストの低減も可能となる。
【００１１】
本発明に係る太陽電池モジュールは、その一実施の形態で、上記裏面保護材に取付穴を設けることが好適である。このように、予め、裏面保護材に取付穴を設けることにより、施工時に墨だし作業を行わなくてもねじピッチの寸法出しを行うことができる。これによって、太陽電池モジュールを隣接して複数枚設置した場合、ドリルねじの取り付け位置が不揃いになり美観を損ねるといったことを防止し、かつ施工工数を低減することが可能となる。
【００１２】
また、本発明に係る太陽電池モジュールは、他の実施の形態で、上記裏面保護材側に、太陽電池サブモジュール群の出力を接続する端子ボックス、隣接する太陽電池モジュールを接続するケーブル、防水コネクタを具備することが好適である。なお、端子ボックスは、一般的には正及び負の端子ボックスである。
【００１３】
この実施の形態では、外観上からは、上記の端子ボックス・配線材が見えなくなり、受光面側が平坦になるので美観に優れる。
【００１４】
また、本発明は、別の側面で太陽電池モジュールの設置構造であり、該設置構造は、山部と谷部を交互に連続して形成した長尺の台形波形折板を屋根勾配に平行になるように設置し、本発明に係る太陽電池モジュールを、該太陽電池モジュールの裏面保護材と上記台形波形折板の山部とが密着するように配置し、上記台形波形折板の山部に上記太陽電池モジュールを取り付けることを特徴とする。太陽電池モジュールは、一般的にドリルねじを用いて上記台形波形折板の山部に上記太陽電池モジュールを、タッピング加工を施して取り付けることが好適である。
【００１５】
この構成の太陽電池モジュールの設置構造によれば、平板形状の太陽電池モジュールの裏面を、長尺の台形波形折板の山部で支えることにより、風圧力による風荷重に対して強度を持たせることができる。さらに、ドリルねじを用いて台形波形折板の山部にタッピング加工を施して取り付ける場合には、ねじとナットを使用するよりも大幅に設置工数を低減することが可能となる。
【００１６】
本発明に係る太陽電池モジュールの設置構造は、その実施の形態で、上記太陽電池モジュールの裏面保護材側かつ上記台形波形折板の谷部のスペースに、上記端子ボックス、隣接する太陽電池モジュールを接続するケーブル、及び防水コネクタを収納することが好適である。
【００１７】
この実施の形態では、台形波形折板の谷部のスペースを、水上から水下に向かって雨水の配水路と、太陽電池モジュールの配線スペースとして使用することができる。よって、太陽電池モジュールの受光面側を平坦とし、美観に優れた太陽電池モジュールの設置が可能となる。
【００１８】
本発明に係る太陽電池モジュールの設置構造は、別の実施の形態で、上記（長尺）の台形波形折板が、山部と谷部を交互に連続する方向に上に凸、下に凸となるように交互に湾曲形成して取り付けられ、湾曲した台形波形折板の山部に、上記太陽電池モジュールを上記裏面保護材と上記台形波形折板の山部とが密着するように敷設することが好適である。
【００１９】
ここで、台形波形折板は、長尺であり、例えば、山部と山部のピッチが９０ｍｍ、高さ２５ｍｍ、板厚１．２ｍｍ程度の安価なキーストンプレートを使用することができ、容易に上に凸、下に凸が交互に湾曲した形状とすることができ、溶接構造等で架台と一体化することが可能である。
【００２０】
本発明で用いられる太陽電池は、特に限定されるものではないが、例えば、シリコン系半導体、化合物系半導体等の材料からなり、単結晶系や多結晶系の結晶系半導体やアモルファス系半導体が挙げられる。これらの太陽電池の内、特に結晶系シリコン太陽電池は、高い信頼性、エネルギー変換効率等によって、建材一体型太陽電池として屋外用途において好適に用いられる。また、アモルファス系シリコン太陽電池は、現状では上記結晶系シリコン太陽電池に比べてエネルギー変換効率等が低いものの、低コスト薄膜系太陽電池として期待されるものである。上記太陽電池は、結晶系半導体、化合物系半導体やこれらの半導体とアモルファス系半導体の積層構造のセルからなる多数の素子を１枚の基板に集積したモジュールが用いられる。また、大面積の１枚のアモルファス系シリコン太陽電池素子からなるモジュールが用いられてもよい。また、これらの太陽電池は、その表面に例えば、普通又は強化ガラス、アクリル樹脂板、テフロン系薄膜等の透明性の高い表面保護材が積層されていてもよい。
【００２１】
上記太陽電池がその表面に配設される裏面保護材は、特に限定されるものではないが、例えば、アルミニウムや鉄鋼等の金属材料、ポリカーボネートや繊維強化プラスチック等の有機材料、又は、これらを複合した基板からなるもの等が挙げられる。
【発明の効果】
【００２２】
本発明によれば、特に太陽電池モジュールを曲面設置する場合、下地形状が上に凸、下に凸のＲ形状でも下地と一体感を持たせ美観に優れた設置ができ、太陽電池モジュールの葺設工数を著しく低減し、太陽電池発電コストを大幅に低減させることができる。
【発明を実施するための最良の形態】
【００２３】
以下、本発明に係る太陽電池モジュール及びその設置構造を、その実施の形態を参照しながらさらに詳細に説明する。ただし、本発明は、これらの実施の形態に制限されるものではない。
【００２４】
第1の実施の形態
まず、図１及び図３〜図６について、第１の実施の形態を説明する。
図１は、第１の実施の形態に係る太陽電池モジュールの内部接続構造を模式的に示す平面図である。図１は、２０ｃｍ×９０ｃｍサイズのａ−Ｓｉ太陽電池サブモジュール２が、横４枚を２列に計８枚の太陽電池サブモジュール２を配置した構成を示している。横に配列した太陽電池サブモジュール２間の接続は、直列接続配線材３で直列接続している。そして、プラス側端部、マイナス側端部で並列リード線４によって、後述する裏面保護材１２２（図３）に設けた図示しない通し穴を通して、太陽電池サブモジュール２の出力を非受光面側に取り出し、プラス並列線９及びマイナス並列線１０にそれぞれ接続している。
【００２５】
一方、端子ボックス５はプラス側端部、マイナス側端部にそれぞれ設けられ、図示しない通し穴から引き出された太陽電池サブモジュール２の出力を端子ボックス５内に導いている。プラス及びマイナスの端子ボックス５間は、端子横断ケーブル８で一体化されている。該端子横断ケーブル８は、プラス並列線９及びマイナス並列線１０を、互いに絶縁された状態で１本化された正負一対の２芯ケーブルである。プラス並列線９及びマイナス並列線１０は、端子ボックス５内を単線で貫通する。その後に、該プラス並列線９及びマイナス並列線１０は、互いに絶縁された状態で１本化された正負一対の２芯ケーブルである出力取り出しケーブル６に接続される。さらに、出力取り出しケーブル６の先端には、互いに絶縁された状態で１体化された正負一対の２極防水コネクタ１１０が設けられている。該２極防水コネクタ１１０のプラス接続部１１０ａ及びマイナス接続部１１０ｂからは、太陽電池サブモジュールの発電出力が太陽電池モジュール１の長尺方向両端部に取り出される。
【００２６】
一方、図３は、図１の実施の形態の太陽電池モジュールに関し、モジュール積層構造を示す図１のＹ−Ｙ断面図である。図３に示すように、太陽電池モジュール１は、受光面側から表面保護材１２１、表面絶縁性封止材１２３、太陽電池サブモジュール２、裏面絶縁性封止材１２４、裏面保護材１２２の順に積層し、構成している。
【００２７】
表面保護材１２１には、数十ミクロンのテフロン系薄膜シート、表面絶縁性封止材１２３及び裏面絶縁性封止材１２４には熱可塑性樹脂、例えば０．４ｍｍ程度のシート状のＥＶＡ（エチレン・酢酸ビニル共重合体）を用いている。
また、太陽電池サブモジュール２には、数十ミクロンのフィルム基板上に形成したアモルファス系シリコン太陽電池、裏面保護材１２２には、屋根材として使用する１ｍｍ以下の鋼板もしくはアルミニウム板、又はプラスチック製の板を使用する。
【００２８】
図３のような太陽電池モジュールの製造工程としては、上記表面保護材１２１、表面絶縁性封止材１２３、太陽電池サブモジュール２、裏面絶縁性封止材１２４、裏面保護材１２２の各材料を積層し、１５０℃程度まで加熱して表面絶縁性封止材１２３及び裏面絶縁性封止材１２４を架橋温度まで到達させて接着するラミネート製造工程が好適である。
【００２９】
裏面保護材１２２である鋼板には、ラミネート製造工程前に取付穴１１を予め加工しておき、ラミネート製造工程時に表面絶縁性封止材１２３及び裏面絶縁性封止材１２４が溶けて取付穴１１が埋まって架橋される。表面絶縁性封止材１２３及び裏面絶縁性封止材１２４は透明色を使用し、ラミネート製造工程後でも受光面側から取付穴１１が見えるようにする。
【００３０】
太陽電池モジュール１を台形波形折板１３０に固定する際には、裏面保護材１２２の取付穴１１の中心にドリルねじ１３１の中心を合わせ、ドリルねじ１３１先端のキリで表面保護材１２１、表面絶縁性封止材１２３、裏面絶縁性封止材１２４及び板厚約１．２ｍｍの台形波形折板１３０を加工しながら固定する。
【００３１】
図４は、第１の実施の形態の太陽電池モジュールの断面設置構造を示し、図６のＸ方向から見た図である。図４に示すように、Ｉ型鋼やＣ型鋼等の鉄鋼材を溶接構造で湾曲に形成した架台１３２上に、台形波形折板１３０を溶接構造で固定する。
【００３２】
台形波形折板１３０は、例えば、板厚が約１．２ｍｍ、高さが２５ｍｍで山部１３０ａと山部１３０ａのピッチが９０ｍｍで交互に連続する市販の安価な鉄製折板材（キーストンプレート）を使用する。太陽電池モジュール１の設置は、台形波形折板１３０の谷部配線スペース１３０ｃの中心と太陽電池モジュール１の端子ボックス５の中心が一致するようにかつ太陽電池モジュール１裏面の裏面保護材１２２と、台形波形折板１３０の山部１３０ａが密着するように設置することが好適である。こうして、台形波形折板１３０の谷部配線スペース１３０ｃ内に図１の太陽電池モジュール１の出力取り出しケーブル７、端子横断ケーブル８、２極防水コネクタ１１０を収納することができる。
【００３３】
また、谷部１３０ｂ及び配線スペース１３０ｃは、水上から水下に向かって勾配を持っているので雨水の配水路にもなる。また、太陽電池モジュール１は台形波形折板１３０の山部１３０ａに密着して設置しているので、風圧力による風荷重に対して十分な強度を持たせている。
【００３４】
さらに、図５は、第１の実施の形態に係る太陽電池モジュールの敷設前の状態を示す斜視図であり、図６は、該太陽電池モジュールの敷設後の状態を示す斜視図である。
【００３５】
図５及び図６に示すように、架台１３２は、図示しない地上より支柱１３３を立て、その上に溶接構造により、又はボルトナットで固定されている。架台１３２は、上に凸、下に凸の湾曲形状を連続的に繰返し、かつこの繰り返す方向と直交する方向に傾斜を持たせて水の流れ勾配を形成している構造を持っている。台形波形折板１３０は、架台１３２上に、台形波形折板１３０の山部１３０ａ及び谷部１３０ｂが水上から水下の方向と平行に伸び、この水上から水下の方向と直交する方向に山部１３０ａと谷部１３０ｂが連続して等間隔に設置されている。
【００３６】
太陽電池モジュール１の設置は、太陽電池モジュール１の長尺方向が水上から水下の方向と平行になるように配置し、ドリルねじ１３１で台形波形折板１３０を加工しながら太陽電池モジュール１の周囲を固定する。固定の際には施工性を考慮し電動のインパクトドライバー等を使用することが好適である。隣接する太陽電池モジュールは前記の太陽電池モジュール１の短手方向に８枚を順次敷設していく。
【００３７】
太陽電池モジュール１の配線は、台形波形折板１３０の水上側に引き出され図示しない並列配線材で全ての太陽電池モジュールを並列接続し、さらに接続箱を介してパワーコンディショナーで接続され、直流／交流変換された後に系統へと給電される。図５、６では８枚の太陽電池モジュールで図示したが、１０ｋＷの大規模発電設備の場合、１つの太陽電池モジュールの出力がＤＣ２００Ｖ、１００Ｗとすると、１０ｋＷの出力を得るためには１００枚必要となる。
【００３８】
第２の実施の形態
次に、図２〜図４及び図７、図８について、第２の実施の形態を説明する。
図２は、第２の実施の形態に係る太陽電池モジュールの内部接続構造を模式的に示す平面図である。図２は、２０ｃｍ×９０ｃｍサイズのａ−Ｓｉ太陽電池サブモジュール２が横４枚を２列に計８枚の太陽電池サブモジュール２を配置した構成を示している。横に配列した太陽電池サブモジュール２間の接続は、直列接続配線材３で直列接続している。そして、プラス側端部、マイナス側端部で並列リード線４によって、裏面保護材１２２（図３）に設けた図示しない通し穴を通して、太陽電池サブモジュール２の出力を非受光面側の端子ボックス５内に取り出し、プラス並列線９及びマイナス並列線１０にそれぞれ接続している。
【００３９】
プラス並列線９及びマイナス並列線１０は１芯の絶縁ケーブルで、太陽電池モジュール１の長尺方向と直交方向かつ両端に引き出されている。プラス並列線９及びマイナス並列線１０の先端には、各々１極防水コネクタ１１１のプラス接続部１１１ａ及びマイナス接続部１１１ｂが設けられ、ここから太陽電池サブモジュールの発電出力が取り出される。
【００４０】
本第２の実施の形態でも、上述した第１の実施の形態について説明した図３、図４の構造が採用される。ここでは重複を避けるために説明を省略する。
【００４１】
さらに、図７は、第２の実施の形態に係る太陽電池モジュールの敷設前の状態を示す斜視図であり、図８は、該太陽電池モジュールの敷設後の状態を示す斜視図である。
【００４２】
図７及び図８に示すように、架台１３２及び台形波形折板１３０の構造は、第１の実施の形態について採用した図５、６と同構造であるので説明は省略する。
太陽電池モジュール１の設置は、太陽電池モジュール１の長尺方向が水上から水下の方向と直交するように配置し、ドリルねじ１３１で台形波形折板１３０を加工しながら太陽電池モジュール１の周囲４辺を固定する。固定の際には施工性を考慮し電動のインパクトドライバー等を使用する。隣接する太陽電池モジュールは、水上から水下方向へ４列、直行する方向へ２列、計８モジュールを順次敷設する。
【００４３】
太陽電池モジュール１の配線は、水下側から水上側に向かって隣接する太陽電池モジュール１の長尺方向と直交する方向に引き出された１極防水コネクタ１１１のプラス接続部１１１ａ及びマイナス接続部１１１ｂ同士をそれぞれ接続し、台形波形折板１３０の水上側に引き出され図示しない並列配線材で全ての太陽電池モジュールを並列接続する。さらに、接続箱を介してパワーコンディショナーで接続し、直流／交流変換された後に系統へと給電される。
【００４４】
図７、８では８枚の太陽電池モジュールを図示したが、１０ｋＷの大規模発電設備の場合、１つの太陽電池モジュールの出力がＤＣ２００Ｖ、１００Ｗとすると、１０ｋＷの出力を得るためには４×２５列で１００枚必要となる。
【図面の簡単な説明】
【００４５】
【図１】第１の実施の形態に係る太陽電池モジュールの内部接続構造を模式的に示す平面図である。
【図２】第２の実施の形態に係る太陽電池モジュールの内部接続構造を模式的に示す平面図である。
【図３】第１及び第２の実施の形態に係る太陽電池モジュールについて、モジュール積層構造を示す図１及び図２のＹ−Ｙ断面図である。
【図４】第１及び第２の実施の形態に係る太陽電池モジュールの断面設置構造を示し、図６のＸから見た断面図である。
【図５】第１の実施の形態に係る太陽電池モジュールの敷設前の状態を示す斜視図である。
【図６】第１の実施の形態に係る太陽電池モジュールの敷設後の状態を示す斜視図である。
【図７】第２の実施の形態に係る太陽電池モジュールの敷設前の状態を示す斜視図である。
【図８】第２の実施の形態に係る太陽電池モジュールの敷設後の状態を示す斜視図である。
【図９】従来の太陽電池モジュールを示し、（ａ）は平面図、（ｂ）は正面図、（ｃ）は側面図、（ｄ）は背面図である。
【図１０】従来の太陽電池モジュールで、図９のＡ−Ａ線で見た断面形状を示す断面図である。
【図１１】図９の太陽電池モジュールの取付構造を示す断面図である。
【図１２】別の従来の太陽電池モジュールの断面取付構造を示す断面図である。
【符号の説明】
【００４６】
１        太陽電池モジュール
２        太陽電池サブモジュール
３        直列接続配線材
４        並列リード線
５        端子ボックス
６        出力取り出しケーブル
７        逆流防止ダイオード
８        端子横断ケーブル
９        プラス並列線
１０      マイナス並列線
１１      取付穴
１１０    ２極防水コネクタ
１１０ａ  プラス接続部
１１０ｂ  マイナス接続部
１１１    １極防水コネクタ
１１１ａ  プラス接続部
１１１ｂ  マイナス接続部
１２１    表面保護材
１２２    裏面保護材
１２３    表面絶縁性封止材
１２４    裏面絶縁性封止材
１３０    台形波形折板
１３０ａ  山部
１３０ｂ  谷部
１３０ｃ  配線スペース
１３１    ドリルねじ
１３２    架台
１３３    支柱
【図１】
2006140420.tif 000003
【図２】
2006140420.tif 000004
【図３】
2006140420.tif 000005
【図４】
2006140420.tif 000006
【図５】
2006140420.tif 000007
【図６】
2006140420.tif 000008
【図７】
2006140420.tif 000009
【図８】
2006140420.tif 000010
【図９】
2006140420.tif 000011
【図１０】
2006140420.tif 000012
【図１１】
2006140420.tif 000013
【図１２】
2006140420.tif 000014